(57)【要約】  本発明は、ネットワークを介して画像送信装置から画像信号を受信するための画像伝送系統を確立する通信部と、複数の前記画像送信装置のそれぞれについて確立された、前記画像伝送系統の総数を接続数とする接続情報管理部と、を有し、前記接続情報管理部は、前記画像送信装置が省電力モードに移行することによって前記画像伝送系統が切断される場合には、該画像伝送系統が切断されても前記接続数を変更しない画像表示装置である。
2019092848.tif 000002
【特許請求の範囲】
【請求項１】
ネットワークを介して画像送信装置から画像信号を受信するための画像伝送系統を確立する通信部と、
複数の前記画像送信装置のそれぞれについて確立された、前記画像伝送系統の総数を接続数とする接続情報管理部と、を有し、
前記接続情報管理部は、
前記画像送信装置が省電力モードに移行することによって前記画像伝送系統が切断される場合には、該画像伝送系統が切断されても前記接続数を変更しない
ことを特徴とする画像表示装置。
【請求項２】
前記接続情報管理部は、前記画像送信装置から所定の切断要求又は所定の通知を受信した場合には、前記画像伝送系統が切断されても前記接続数を変更しない
ことを特徴とする請求項１に記載の画像表示装置。
【請求項３】
前記接続情報管理部は、
複数の前記画像送信装置のうちの第１の画像送信装置から画像信号を受信するための前記画像伝送系統である第１の画像伝送系統が、前記第１の画像送信装置が省電力モードに移行することによって切断された後に再び確立される場合には、前記第１の画像伝送系統が再び確立されても前記接続数を変更しない
ことを特徴とする請求項１又は２に記載の画像表示装置。
【請求項４】
前記接続情報管理部は、
複数の前記画像送信装置のうちの第１の画像送信装置から画像信号を受信するための前記画像伝送系統である第１の画像伝送系統が切断された後に、前記第１の画像送信装置からの要求信号に所定の識別子が含まれている場合には、前記第１の画像伝送系統が再び確立されても前記接続数を変更しない
ことを特徴とする請求項１又は２に記載の画像表示装置。
【請求項５】
複数の前記画像送信装置のうちの第１の画像送信装置に第１の表示領域が割り当てられている場合であって、前記第１の画像送信装置から画像信号を受信するための前記画像伝送系統である第１の画像伝送系統が、前記第１の画像送信装置が省電力モードに移行することによって切断される場合には、前記第１の表示領域に映像ミュートを示す画像を表示させる画像データ処理部をさらに有する
ことを特徴とする請求項１又は２に記載の画像表示装置。
【請求項６】
前記画像データ処理部は、
前記第１の画像送信装置が前記省電力モードから復帰し、前記第１の画像伝送系統が再び確立する場合には、前記第１の表示領域に、前記映像ミュートを示す画像に代えて、前記第１の画像送信装置から受信する画像信号の画像を表示する
ことを特徴とする請求項５に記載の画像表示装置。
【請求項７】
前記第１の画像送信装置に前記第１の表示領域が割り当てられている場合であって、前記第１の画像伝送系統が、前記第１の画像送信装置が省電力モードに移行することなく切断される場合には、前記第１の表示領域を開放する
ことを特徴とする請求項５又は６に記載の画像表示装置。
【請求項８】
操作を受け付ける操作受付部と、
ネットワークを介して画像表示装置へ画像信号を送信するための画像伝送系統を確立する通信部と、
前記操作受付部が前記画像伝送系統を切断する操作を受け付けた場合には前記画像表示装置へ第１の切断要求を送信し、省電力モードに移行する場合には前記画像表示装置へ第２の切断要求を送信する接続処理部と、を有する
ことを特徴とする画像送信装置。
【請求項９】
前記第２の切断要求は、前記省電力モードに移行することの通知を含む
ことを特徴とする、請求項８に記載の画像送信装置。
【請求項１０】
画像信号を送信する、一又は複数の画像送信装置と、
ネットワークを介して前記画像信号を受信する画像表示装置と、を有し、
前記画像表示装置は、
前記一又は複数の画像送信装置から前記画像信号を受信するための画像伝送系統を確立する通信部と、
前記一又は複数の画像送信装置のそれぞれについて確立された、前記画像伝送系統の総数を接続数とする接続情報管理部と、を有し、
前記接続情報管理部は、
前記画像送信装置が省電力モードに移行することによって前記画像伝送系統が切断される場合には、該画像伝送系統が切断されても前記接続数を変更しない
ことを特徴とする画像表示システム。
【請求項１１】
ネットワークを介して画像送信装置から画像信号を受信するための画像伝送系統を確立し、
複数の前記画像送信装置のそれぞれについて確立された、前記画像伝送系統の総数を接続数とし、
前記画像送信装置が省電力モードに移行することによって前記画像伝送系統が切断される場合には、該画像伝送系統が切断されても前記接続数を変更しない
ことを特徴とする接続情報管理方法。
【請求項１２】
操作を受け付け、
ネットワークを介して画像表示装置へ画像信号を送信するための画像伝送系統を確立し、
前記操作が前記画像伝送系統を切断する操作である場合には前記画像表示装置へ第１の切断要求を送信し、省電力モードに移行する場合には前記画像表示装置へ第２の切断要求を送信する
ことを特徴とする接続処理方法。
【請求項１３】
コンピュータを、
ネットワークを介して画像表示装置へ画像信号を送信するための画像伝送系統を確立する通信手段、
受け付けた操作が前記画像伝送系統を切断する操作である場合には前記画像表示装置へ第１の切断要求を送信し、省電力モードに移行する場合には前記画像表示装置へ第２の切断要求を送信する接続処理手段、
として機能させるための接続処理プログラム。
【発明の詳細な説明】
【技術分野】
【０００１】
本発明は、ディスプレイ、プロジェクタなどの画像を表示する画像表示方法及び画像表示装置に関する。
【背景技術】
【０００２】
従来、複数の画像送信装置と画像表示装置とを、ネットワークを介してＮ：１で接続し、映像を伝送する際に、映像を連続する静止画として送信する方法があった（例えば、特許文献１参照）。また、画像表示装置は、接続された画像送信装置からの映像を表示領域に分割して表示する方法があった（例えば、特許文献２参照）。【０００３】
また、上述した手法により複数の画像送信装置から同時に画像データを受信し、画像表示装置の表示領域を分割して各画像送信装置からの映像を表示した場合、画像送信装置は、表示領域に画像を表示する必要がない場合でも、分割された表示領域に、常に画像を送信可能な状態を保つために、画像送信装置の省電力モード（所謂、省エネ（省エネルギー）モード）を無効にし、常にネットワークの接続（画像送信装置及び画像表示装置間の画像伝送系統）を維持する必要がある。
【先行技術文献】
【特許文献】
【０００４】
【特許文献１】特開２０１２−１４７１４６号公報
【特許文献２】特開２０１６−０２４２２０号公報
【発明の概要】
【発明が解決しようとする課題】
【０００５】
しかしながら、同時に、複数の画像送信装置の各々と画像表示装置とをネットワークにより接続している場合には、画面分割領域の状態によっては、画像送信装置からの画像伝送を行う必要がない場合も存在する。ところが、その場合であっても画像送信装置の省電力モードは無効であるため、画像送信装置のバッテリーが無駄に消費されてしまうという問題がある。【０００６】
また、従来方式として、画像送信装置の省電力モードを無効とせずに、画像送信装置に対して、所定の時間の経過後に操作入力がない場合には、この画像送信装置と画像表示装置とのネットワークを切断する（画像伝送系統を切断する）画像伝送方式もある。しかしながら、画像表示装置の表示領域が画像送信装置から解放された場合、表示する画像が伝送されないため、画像表示装置の表示状態が変化してしまうという問題がある。【０００７】
さらに、すでに画像表示装置に対して接続されていた一の画像送信装置が省電力モード中に、他の画像送信装置が接続される場合がある。この場合には、画像表示装置に接続可能な画像送信装置の最大数を超えてしまい、一の画像送信装置が省電力モードから復帰したとしても、すでに接続可能な画像送信装置の最大数を超えているために、画像表示装置に接続できないという問題もある。【０００８】
上述の課題を鑑み、本発明は、複数の画像送信装置と画像表示装置とを、ネットワークを介してＮ：１で接続して用いる際、画像表示装置への画像伝送を行う必要がない場合に画像送信装置のバッテリーを無駄に消費させず、また、画像送信装置及び画像表示装置間のネットワークを切断しても画像表示装置の表示状態を変化させることなく、かつ画像送信装置が省電力モード中に他の画像送信装置に接続されることがない画像表示システムおよび画像表示方法を提供することを目的とする。
【課題を解決するための手段】
【０００９】
本発明は、ネットワークを介して画像送信装置から画像信号を受信するための画像伝送系統を確立する通信部と、複数の前記画像送信装置のそれぞれについて確立された、前記画像伝送系統の総数を接続数とする接続情報管理部と、を有し、前記接続情報管理部は、前記画像送信装置が省電力モードに移行することによって前記画像伝送系統が切断される場合には、該画像伝送系統が切断されても前記接続数を変更しないことを特徴とする画像表示装置である。【００１０】
本発明は、ネットワークを介して画像送信装置から画像信号を受信するための画像伝送系統を確立し、複数の前記画像送信装置のそれぞれについて確立された、前記画像伝送系統の総数を接続数とし、前記画像送信装置が省電力モードに移行することによって前記画像伝送系統が切断される場合には、該画像伝送系統が切断されても前記接続数を変更しないことを特徴とする接続情報管理方法である。
【発明の効果】
【００１１】
本発明によれば、複数の画像送信装置と画像表示装置とをネットワークを介して画像を伝送する際に、ユーザの操作がない状態が継続した場合には、画像送信装置を省電力モードに移行することができ、かつ、画像表示装置は、あたかも画像送信装置が接続しているかのように制御を行うことができる。【００１２】
また、本発明によれば、画像送信装置が省電力モードに移行してから、省電力モードから復帰するまでの間に、この画像送信装置とは異なる他の画像送信装置が画像表示装置に接続することにより、省電力モードに移行した画像送信装置に割り当てられている表示領域を、上記他の画像送信装置が奪うことを防止できる。【００１３】
さらに、本発明によれば、上述した構成により、ユーザの操作がない状態が継続した画像送信装置を省電力モードに移行させることができ、画像を送信する必要がない画像送信装置のバッテリーの消費を抑制することができる。
【図面の簡単な説明】
【００１４】
【図１】本発明の実施形態による画像表示装置１を用いた画像表示システム１００の構成例を示す図である。
【図２】画像表示装置の表示画面が複数の画像送信装置に対応して複数の表示領域に分割された構成例を示す図である。
【図３】画像表示装置１の表示画面が４分割された４個の表示領域のうち、２個の表示領域が映像ミュートされている状態を示す図である。
【図４】画像表示装置１に対して１０台の画像送信装置が接続されている場合の接続情報管理データ記憶部１３１に対して記憶されている接続情報管理テーブルの構成例を示す図である。
【図５】本発明の実施形態の画像受信装置１の画像送信装置２との接続の制御を示す動作例を示すフローチャートである。
【図６】本発明の実施形態の画像送信装置２の画像受信装置１に対する画像データの送信の制御を示す動作例を示すフローチャートである。
【図７】本発明の実施形態の概念を説明する図である。
【発明を実施するための形態】
【００１５】
本発明における画像送信装置は、省電力モードを有効にしたまま画像表示装置に対して接続状態を維持する。一方、画像表示装置は、省電力モードへの移行によるネットワークにおいて確立された画像伝送系統を一時切断する要求が画像送信装置から通知されると、あたかも当該画像送信装置との画像伝送系統が切断されていないかのように振る舞う。すなわち、一時的に画像伝送系統が切断された画像送信装置に割り当てられていた表示領域に映像ミュート状態を示す画像を表示し、現在接続されている画像送信装置の数を減らすことなく動作を継続する。この後、一時的に画像伝送系統が切断されていた画像送信装置が省電力モードから復帰することで、再びこの画像送信装置が画像表示装置に接続されることにより、一時的に画像伝送系統が切断された画像送信装置に割り当てられていた表示領域に対し、一時的な画像伝送系統の切断から復帰したこの画像表示装置からの画像を表示する。このように画像送信装置および画像受信装置が動作することにより、画像送信装置が省電力モードに移行及び省電力モードからの復帰の各々の動作を繰り返しても、他の画像送信装置に影響を与えることなく動作する機構を有するものである。
【００１６】
以下、本発明の実施形態による画像表示装置を用いた画像表示システムについて図面を参照して説明する。図１は、本発明の実施形態による画像表示装置１を用いた画像表示システム１００の構成例を示す図である。
図１に示すように、画像表示装置１は、複数の画像送信装置、例えば画像送信装置２１〜２Nの各々とネットワーク２００を介して接続されている。以下、画像送信装置２１〜２Nの各々は、機能及び動作をまとめて説明する場合に、あるいはいずれかを特定せずに説明する場合に、単に画像送信装置２と示す。
【００１７】
画像表示装置１は、通信装置１１、データ処理装置１２、記憶装置１３及び画像出力装置１４を備えている。また、通信装置１１は、データ受信部１１１及びデータ送信部１１２の各々を備えている。データ処理装置１２は、接続情報管理部１２１及び画像データ処理部１２２の各々を備えている。記憶装置１３は、接続情報管理データ記憶部１３１及びビデオメモリ１３２の各々を備えている。画像出力装置１４は、画像出力部１４１を備えている。
【００１８】
画像送信装置２（画像送信装置２１〜２Nの各々）は、通信装置２１、データ処理装置２２、記憶装置２３、入力装置２４及び表示装置２５の各々を備えている。また、通信装置２１は、データ受信部２１１及びデータ送信部２１２の各々を備えている。データ処理装置２２は、接続処理部２２１及び画像データ処理部２２２の各々を備えている。記憶装置２３は、接続識別子データ記憶部２３１及びビデオメモリ２３２の各々を備えている。入力装置２４は、操作受付部２４１を備えている。表示装置２５は、表示部２５１を備えている。
【００１９】
図２は、画像表示装置の表示画面が複数の画像送信装置に対応して複数の表示領域に分割された構成例を示す図である。
図２（ａ）は、画像表示装置１の表示画面１０が複数に分割されておらず、一台の画像送信装置２１に対応した表示領域となっている。また、図２（ｂ）は、画像表示装置１の表示画面１０が複数、すなわち表示領域１０＿１及び１０＿２の各々に二分割されている。このとき、例えば、画像送信装置２１からの画像が表示領域１０＿１に表示され、画像送信装置２２からの画像が表示領域１０＿２に表示される。
【００２０】
図２（ｃ）は、画像表示装置１の表示画面１０が複数、すなわち表示領域１０＿１、１０＿２、１０＿３及び１０＿４の各々に四分割されている。このとき、例えば、画像表示装置２１からの画像が表示領域１０＿１に表示され、画像送信装置２２からの画像が表示領域１０＿２に表示され、画像表示装置２３からの画像が表示領域１０＿３に表示され、画像送信装置２４からの画像が表示領域１０＿４に表示される。
【００２１】
上述の説明において、画像表示装置１の表示画面の分割数と、画像表示装置１に対して接続される画像送信装置２の数を同一として説明したが、画像表示装置１の表示画面の分割数と画像表示装置１に接続される画像送信装置２の数とは一致している必要はない。すなわち、表示画面における表示領域は、画像表示装置１に対する画像送信装置２の接続数に関係なく、任意のサイズと個数とで分割することができる。画像送信装置２の接続台数が、画面分割数よりも多い場合は、画像表示装置の表示領域が割り当てられていない画像送信装置２があることを意味している。画像表示装置１の表示領域が画像伝送装置２の各々に割り当てられている場合、画像表示装置１と画像伝送装置２との間にネットワークを介して画像伝送系統が確立されて接続状態となっている。接続情報管理部１２１は、この画像伝送系統の総数を接続数として管理している。
【００２２】
図３は、画像表示装置１の表示画面が４分割された４個の表示領域のうち、２個の表示領域が映像ミュートされている状態を示す図である。図３において、表示装置１の表示画面１０が、表示領域１０＿１、１０＿２、１０＿３及び１０＿４の各々に分割され、この表示領域のうち表示領域１０＿１及び表示領域１０＿２の各々が映像ミュートされている。
【００２３】
図４は、画像表示装置１に対して１０台の画像送信装置が接続されている場合の接続情報管理データ記憶部１３１に対して記憶されている接続情報管理テーブルの構成例を示す図である。例えば、画像表示装置１に対して、画像送信装置２１から２１０の各々が接続されている。図４に示す接続情報管理テーブルは、レコード毎に、接続番号、接続識別子、表示領域（状態）及び接続ステータスの各々の欄が設けられている。接続番号は、画像表示装置１における、画像送信装置２の各々が接続された順番を示す番号である。画像送信装置２１から２１０の各々は、接続番号＃１、…、＃１０のそれぞれのいずれかに対応して、画像表示装置１に対して接続されている。接続識別子は、接続番号に対応して接続されている画像送信装置に対して付与される、画像送信装置の各々を識別する識別情報である。
【００２４】
表示領域（状態）は、接続番号に対応して接続されている画像送信装置２の各々に対する、画像表示装置の表示画面における表示領域それぞれに対する割当ての状態を示している。例えば、接続番号＃１が画像送信装置２５を示し、接続番号＃２が画像送信装置２３を示し、接続番号＃３が画像送信装置２６を示し、接続番号＃４が画像送信装置２２を示し、接続番号＃５が画像送信装置２７を示し、接続番号＃６が画像送信装置２１を示し、接続番号＃７が画像送信装置２８を示し、接続番号＃８が画像送信装置２９を示し、接続番号＃９が画像送信装置２４を示し、接続番号＃１０が画像送信装置２１０を示している。
【００２５】
ここで、図３の表示画面に対応させた場合、画像送信装置２１から画像送信装置２４の各々には、それぞれ表示領域２＿１、２＿２、２＿３、２＿４が割り当てられている。一方、画像送信装置２５から画像送信装置２１０の各々には、画像表示装置１の表示画面における表示領域が割り当てられていない。表示領域（状態）の欄には、表示領域が割り当てられていない場合、「なし」が示され、表示領域が割り当てられている場合、表示領域の符号（２＿１から２＿４の各々）が示される。
【００２６】
また、表示領域（状態）の欄には、表示領域が割り当てられている場合、表示の状態として、「映像表示中」あるいは「映像ミュート中」とのいずれかが示される。「映像表示中」は、画像送信装置２が省電力モードではなく、通常状態として、画像送信装置２から画像が供給されて、表示領域に表示される状態を示している。一方、「映像ミュート中」は、画像送信装置２が省電力モードであり、画像伝送系統が切断された切断状態として、画像送信装置２から画像が供給されず、表示領域に映像ミュートを示す画像が表示される状態を示している。
【００２７】
すなわち、図３に示されるように、画像送信装置２１及び２２の各々は省電力モードとなり、画像伝送系統が非接続状態となり、表示領域１０＿１、１０＿２のそれぞれには、映像ミュートを示す画像が表示されている。一方、表示領域１０＿３及び１０＿４の各々には、省電力モードとなっていない画像送信装置２３、２４それぞからの画像（映像）が供給されて表示されている。
【００２８】
接続ステータスは、画像表示装置と接続番号に対応する画像送信装置の各々とのそれぞれの接続が接続中、あるいは画像伝送系統の切断（省電力モードに起因する切断）中であるかの状態を示すステータスである。画像表示装置１への接続が継続されている画像送信装置２の欄には「接続中」が示され、一方、画像表示装置１への接続が省電力モードとなり画像伝送系統が一旦切断された画像送信装置２の欄には「切断中（省電力モード）」が示されている。
【００２９】
例えば、図４においては、接続番号＃１〜＃３、＃５、＃７及び＃９の各々の画像送信装置２の接続ステータスが「接続中」であり、画像表示装置１に対する接続が継続されている。また、接続番号＃４、＃６、＃８及び＃１０の各々の画像送信装置２の接続ステータスが「切断中」であり、画像表示装置１に対する接続が、画像送信装置２が省電力モードとなり画像伝送系統が一旦切断されている。
【００３０】
上述したように、画像表示装置１が、接続情報管理テータ記憶部１３１における接続情報管理テーブルを用いて、画像送信装置２と自身との画像伝送系統の接続状態を示す接続情報を管理することにより、実際に画像送信装置２が６台（接続番号＃１〜＃３、＃５、＃７及び＃９）しか接続されていない状態であっても、あたかも画像送信装置２は、１０台（接続番号＃１から＃１０の各々）の画像送信装置２が接続されているかのように、画像送信装置２の各々を制御することができる。すなわち、画像送信装置２が省電力モードに移行することにより、画像伝送系統が非接続状態となった場合、接続情報管理部１２１が管理する接続数は変更されない。
【００３１】
本実施形態において、「接続中」は画像送信装置２が画像表示装置１に対して接続された状態を示している。この「接続された状態」とは、画像データをネットワークにおいて転送できる経路として画像伝送系統を確立した状態を示している。ＴＣＰ（Transmission Control Protocol）を用いる場合、「接続された状態」とは、論理的な通信路（コネクション）を設定した状態、つまりコネクションを確立した状態を示している。コネクションを確立した状態においては、画像データが転送されなくても、コネクションの状態を確認すること等を目的としたパケットの転送が定期的に行われることが一般的である。なお、画像表示装置１と画像送信装置２の各々とが「接続された状態」であっても、画像表示装置１において画像送信装置２の各々に対して表示領域が割り当てられているとは限らない。表示領域が割り当てられていなければ、たとえ画像送信装置２が画像データを転送したとしても、画像表示装置１にその画像データに基づく画像が表示されることはない。
【００３２】
また、本実施形態において、「切断中」は像送信装置２が画像表示装置１に対しての画像伝送系統が切断された状態を示している。この画像伝送系統が「切断された状態」とは、画像データを転送できる経路を確立していない状態を示している。ＴＣＰを用いる場合には、「切断された状態」とは、データの転送に用いられるポート等の画像伝送系統を解放した状態、つまりコネクション（伝送系統）を解放した状態を示している。コネクションを解放した状態においては、コネクションの状態を確認すること等を目的としたパケットの定期的な転送は、一般的には行われない。
画像表示装置１と画像送信装置２ｎとの画像伝送系統が「切断された状態」である場合には、画像表示装置１がネットワークを介して画像送信装置２ｎから画像データを受信することはない。ただし、本実施形態においては、「切断された状態」であっても「切断中（省電力モード）」である場合には、画像表示装置１において接続数が減算されない（後述）。また、「切断中（省電力モード）」である場合には、「切断された状態」であっても、すでに述べたように、画像表示装置１において画像送信装置２の表示領域が割り当てられている場合がある。すなわち、接続情報管理部１２１は、「切断中（省電力モード）」である場合、管理する接続数を変更しないため、割り当てられている表示領域が「切断中（省電力モード）」となった画像送信装置２に対して割り当てられたままで開放しない。このため、接続情報管理部１２１は、「切断中（省電力モード）」の画像送信装置２から再接続の要求があり、画像伝送系統の再接続を行った際、接続数を変更することはない。
【００３３】
図５は、本発明の実施形態の画像受信装置１の画像送信装置２との接続の制御を示す動作例を示すフローチャートである。
ステップＡ１：接続情報管理部１２１は、自身内部に設けられた接続数カウンタを、初期値としての「０」に設定（リセット）する。
【００３４】
ステップＡ２：接続情報管理部１２１は、ネットワーク２００におけるいずれかの画像送信装置２から、データ受信部１１１を介して接続要求がなされたか否かの検出を行う。このとき、接続情報管理部１２１は、いずれかの画像送信装置２からの接続要求を検出した場合、処理をステップＡ３へ進める。一方、接続情報管理部１２１は、画像送信装置２からの接続要求を検出しない場合、処理をステップＡ２へ進める。
【００３５】
ステップＡ３：接続情報管理部１２１は、接続要求を行った画像送信装置２にからの接続要求を示す要求信号に接続識別子が付加されているか否かにより、新規接続か再接続かの判定を行う。すなわち、ここで、新規接続であれば、接続識別子が接続要求を示す要求信号に付加されておらず、一方、再接続であれば、すでに付与されている接続識別子が接続要求を示す要求信号に付加されている。
【００３６】
このとき、接続情報管理部１２１は、画像送信装置２からの接続要求を示す要求信号に付加されている場合、再接続であると判定し（新規接続ではない（Ｎ）と判定し）、処理をステップＡ４へ処理を進める。一方、接続情報管理部１２１は、画像送信装置２からの接続要求を示す要求信号に接続識別子が付加されていない場合、新規接続であると判定し（Ｙと判定し）、処理をステップＡ６へ処理を進める。
【００３７】
ステップＡ４：接続情報管理部１２１は、接続情報管理テータ記憶部１３１における接続情報管理テーブルを参照し、回答された接続識別子を検索し、表示領域が割り当てられているか否かの判定を行う。すなわち、接続情報管理部１２１は、接続情報管理テーブルにおける接続識別子に対応する表示領域（状態）の欄に「なし」が示されているか、表示領域の番号が示されているかの検索を行う。
【００３８】
このとき、接続情報管理部１２１は、接続識別子に対応する表示領域（状態）の欄に「なし」が示されている場合、この接続識別子に対応する画像送信装置２に対して表示領域が割り当てられていないと判定し、この画像送信装置２から画像データを受信する必要がないため、処理をステップＡ２へ進める。一方、接続情報管理部１２１は、接続識別子に対応する表示領域（状態）の欄に「表示領域の番号」が示されている場合、この接続識別子に対応する画像送信装置２に対して表示領域が割り当てられていると判定し、この画像送信装置２から画像データを受信して、図示しない表示装置に表示するため、処理をステップＡ５へ進める。
【００３９】
ステップＡ５：接続情報管理部１２１は、接続情報管理テータ記憶部１３１における接続情報管理テーブルにおいて、接続識別子に対応する画像送信装置２の接続ステータスを「切断中（省電力モード）」から、「接続中」に書き換え、かつ表示領域（状態）を表示領域の番号（映像表示中）に書き換えて変更する。接続情報管理部１２１は、画像送信装置２に対して画像データを送信するように要求する。
【００４０】
画像データ処理部１２２は、画像送信装置２からの画像データをデータ受信部１１１を介して受信し、画像データの表示装置の特性に対応させるγ補正などの画像処理を行い、画像処理後の画像データをビデオメモリ１３２に対して書き込む。そして、画像出力部１４１は、ビデオメモリ１３２に書き込まれている画像データを、表示装置の表示画面における上記接続識別子に対応する番号の表示領域に対して表示する。
【００４１】
ステップＡ６：接続情報管理部１２１は、接続要求している画像送信装置２が新規接続である場合、自身の接続数カウンタを参照し、現在、管理下にある画像送信装置２の数（接続数カウンタのカウント数）が予め設定されている接続最大数か否かの判定を行う。すなわち、接続情報管理部１２１は、接続要求している画像送信装置２を新たに接続させることにより、上記接続最大数を超えるか否かの判定を行う。
【００４２】
このとき、接続情報管理部１２１は、接続要求している画像送信装置２を新たに接続させることにより、接続最大数を超える（Ｙ）場合、新たな画像送信装置２の接続が行えないため処理をステップＡ１０へ進める。一方、接続情報管理部１２１は、接続要求している画像送信装置２を新たに接続させても、接続最大数を超えない（Ｎ）場合、新たな画像送信装置２の接続が行えるため処理をステップＡ７へ進める。
【００４３】
ステップＡ７：接続情報管理部１２１は、接続要求している画像送信装置２に対して接続識別子を付与する。そして、接続情報管理部１２１は、接続情報管理テータ記憶部１３１における接続情報管理テーブルに対し、上記画像送信装置２の接続識別子を書き込む。また、接続情報管理部１２１は、接続数カウンタのカウント数をインクリメント（「１」を加算）する。
【００４４】
ステップＡ８：接続情報管理部１２１は、接続要求している画像送信装置２に対して、ステップＡ７において付与した接続識別子を送信し、接続が正常に行えたことを送信する。
【００４５】
ステップＡ９：接続情報管理部１２１は、新たに接続した画像送信装置２に対して、表示装置の表示画面における表示領域の割当てを行う。また、接続情報管理部１２１は、接続情報管理テータ記憶部１３１における接続情報管理テーブルに対し、上記画像送信装置２に割り当てた「表示領域の番号」を表示領域（状態）の欄に、接続ステータスの欄に「接続中」を書き込んで記憶させる。
これにより、画像データ処理部１２２は、新たに接続した画像送信装置２に対して画像データを送信するように要求する。
【００４６】
そして、画像データ処理部１２２は、画像送信装置２からの画像データをデータ受信部１１１を介して受信し、画像データの表示装置の特性に対応させるγ補正などの画像処理を行い、画像処理後の画像データをビデオメモリ１３２に対して書き込む。そして、画像出力部１４１は、ビデオメモリ１３２に書き込まれている画像データを、表示装置の表示画面における上記接続識別子に対応する番号の表示領域に対して表示する。
【００４７】
ステップＡ１０：接続情報管理部１２１は、接続情報管理部１２１は、接続要求している画像送信装置２を新たに接続させることにより、接続最大数を超えるため、新たな画像送信装置２の接続が行えないことを示す接続エラーの信号を、接続要求している画像送信装置２に対して送信する。
【００４８】
ステップＡ１１：接続情報管理部１２１は、現在接続されている画像送信装置２のいずれかから、画像伝送系統の切断要求が供給されたか否かの検出を行う。このとき、接続情報管理部１２１は、画像送信装置２から画像伝送系統の切断要求が供給された場合、画像伝送系統の切断処理を行うため、処理をステップＡ１２へ進める。一方、接続情報管理部１２１は、画像送信装置２から画像伝送系統の切断要求が供給されない場合、処理をステップＡ２へ進める。
【００４９】
ステップＡ１２：接続情報管理部１２１は、画像送信装置２からの画像伝送系統の切断要求が省電力モードに移行したための切断要求であるか否かの判定を行う。このとき、接続情報管理部１２１は、画像送信装置２からの画像伝送系統の切断要求が省電力モードに移行したためである（Ｙ）場合、処理をステップＡ１３へ進める。一方、接続情報管理部１２１は、画像送信装置２からの画像伝送系統の切断要求が省電力モードに移行したためでなく、一般的な画像伝送系統の切断要求である（Ｎ）場合、処理をステップＡ１５へ進める。
【００５０】
ステップＡ１３：接続情報管理部１２１は、画像送信装置２からの画像伝送系統の切断要求が省電力モードに移行した場合、接続情報管理テータ記憶部１３１における接続情報管理テーブルを参照し、切断要求した画像送信装置２の接続識別子に基づき、表示装置の表示領域が割り当てられているか否かの判定を行う。このとき、接続情報管理部１２１は、切断要求した画像送信装置２に対して、表示装置の表示領域が割り当てられている場合、処理をステップＡ１４に進める。一方、接続情報管理部１２１は、切断要求した画像送信装置２に対して、表示装置の表示領域が割り当てられていない場合、接続ステータスを「切断中（省電力モード）」に書き換え、処理をステップＡ２に進める。
【００５１】
ステップＡ１４：画像データ処理部１２２は、映像ミュートの画像をビデオメモリ１３２における切断要求した画像送信装置２に割り当てた表示領域に対応したアドレスに書き込む。これにより、画像出力部１４１は、画像送信装置２に割り当てた表示領域に対し、映像ミュートの画像を表示する（例えば、図３参照）。そして、接続情報管理部１２１は、接続情報管理テータ記憶部１３１における接続情報管理テーブルにおいて、接続識別子に対応する画像送信装置２の接続ステータスを「接続中」から、「切断中（省電力モード）」に書き換え、かつ表示領域（状態）を表示領域の番号（映像ミュート中）に書き換えて変更する。
【００５２】
ステップＡ１５：接続情報管理部１２１は、接続情報管理テータ記憶部１３１における接続情報管理テーブルから、画像伝送系統の切断要求した画像送信装置２の情報（レコード）を削除する。これにより、接続情報管理部１２１は、画像伝送系統の切断要求した画像送信装置２に割り当てられていた表示領域の開放を行う。
【００５３】
ステップＡ１６：接続情報管理部１２１は、接続数カウンタのカウント数をデクリメント（「１」を減算）し、処理をステップＡ２へ進める。
【００５４】
図６は、本発明の実施形態の画像送信装置２の画像受信装置１に対する画像データの送信の制御を示す動作例を示すフローチャートである。
ステップＢ１：接続処理部２２１は、データ送信部２１２を介して画像表示装置１に対し、接続要求を送信する。
【００５５】
ステップＢ２：接続処理部２２１は、上記接続要求に対応して、画像表示装置１からの接続識別子の受信の有無を確認する。このとき、接続処理部２２１は、接続識別子が供給された場合、画像表示装置１において接続要求に対応した接続が行われたと判定し（Ｙ）、処理をステップＢ３へ進める。
【００５６】
ステップＢ３：接続処理部２２１は、画像表示装置１から供給された接続識別子を接続識別子データ記憶部２３１に書き込んで記憶させる。
そして、画像データ処理部２２２は、ビデオメモリ２３２に記憶されている画像データを読み出し、読み出した画像データをデータ送信部２１２を介して、画像表示装置１に対して出力する。
【００５７】
また、画像データ処理部２２２は、読み出した上記画像データを、γ補正などの画像処理を行った後、表示装置２５に対して出力する。これにより、表示装置２５は、表示部２５１の表示画面に、画像データ処理部２２２から供給される画像データを表示する。
また接続処理部２２１は、自身内部のタイマーを「０」に設定（リセット）し、カウントを開始させる。
上述した処理により、接続処理部２２１は、画像送信装置２の画像表示装置１に対する接続処理を完了する。
【００５８】
ステップＢ４：接続処理部２２１は、画像表示装置１との画像伝送系統を切断する切断操作が、操作受付部２４１から入力されたか否かの検出を行う。このとき、接続処理部２２１は、画像表示装置１との画像伝送系統を切断する切断操作が操作受付部２４１から入力された場合（Ｙ）、処理をステップＢ１２に進める。一方、接続処理部２２１は、画像表示装置１との画像伝送系統を切断する切断操作が操作受付部２４１から入力されない場合（Ｎ）、処理をステップＢ５に進める。
【００５９】
ステップＢ５：接続処理部２２１は、上記タイマーの計時時間を読み出し、読み出した計時時間が所定の一定時間を経過しているか否かの判定を行う。このとき、接続処理部２２１は、タイマーの計時時間が所定の一定時間を経過している場合（Ｙ）、処理をステップＢ６へ進める。一方、接続処理部２２１は、タイマーの計時時間が所定の一定時間を経過していない場合（Ｎ）、処理をステップＢ４へ進める。
【００６０】
ステップＢ６：接続処理部２２１は、操作入力が一定時間ないため、省電力モードに移行する必要がある。これにより、接続処理部２２１は、画像表示装置１に対して画像データの送信が行えなくなるため、画像表示装置１に対して省電力モードに移行する必要性による画像伝送系統の切断を示す切断要求を送信する。また、接続処理部２２１は、上記「省電力モード移行による画像伝送系統の切断要求（所定の切断要求）」を、「省電力モードへの移行通知（所定の通知）」と「切断要求通知」に分けて、画像表示装置１に対して送信する構成としても良い。
【００６１】
ステップＢ７：そして、画像表示装置２は、省電力モードに移行による画像伝送系統の切断要求を送信した後、省電力モードに移行する。
【００６２】
ステップＢ８：画像送信装置２は、操作受付部２４１を介して、自身への操作入力が供給された場合、省電力モードから通常の動作モードに移行する（復帰する）。
【００６３】
ステップＢ９：接続処理部２２１は、省電力モードから復帰した後、画像表示装置１に対して、再び画像送信装置２を画像表示装置１に対して接続させる再接続の要求（すでに述べた接続要求を示す要求信号）を送信する。このとき、接続処理部２２１は、接続識別子データ記憶部２３１から自身に負荷されている接続識別子を読み出し、再接続の要求に付加して画像表示装置１に対して送信する。
【００６４】
ステップＢ１０：接続処理部２２１は、画像表示装置１から画像データの送信を供給する信号を受信すると、正常に画像表示装置１に再接続されたことを検出する。これにより、画像データ処理部２２２は、ビデオメモリ２３２に記憶されている画像データを読み出し、読み出した画像データをデータ送信部２１２を介して、画像表示装置１に対して出力する。
【００６５】
ステップＢ１１：接続処理部２２１は、画像表示装置１に対して送信した接続供給に対応し、新たな画像送信装置２の接続が行えないことを示す接続エラーの信号が供給された場合、この接続エラーを示す情報を表示装置２５に対して出力する。これにより、表示装置２５は、表示部２５１の表示画面に、画像表示装置１との接続が行えなかったことを示す接続エラーを表示し、画像表示装置１との接続が失敗したことを通知する。
【００６６】
ステップＢ１２：接続処理部２２１は、省電力モードによる画像伝送系統の切断ではなく、操作受付部２４１から入力される切断操作による画像伝送系統の切断要求を、画像表示装置１に対して送信する。そして、画像データ処理部２２２は、ビデオメモリ２３２の画像データを画像表示装置１に対して出力する処理を停止する。
【００６７】
上述した構成により、本実施形態によれば、複数の画像送信装置２と画像表示装置１とをネットワーク２００を介して画像データを伝送する際に、ユーザの操作がない状態が継続した場合には、画像送信装置１を省電力モードに移行させて、画像表示装置１に対する画像伝送系統の切断を行わせることができ、かつ、画像表示装置２は、表示画面に映像ミュートを示す画像が表示されているため、あたかも画像送信装置１が接続しているかのように制御することができる。
【００６８】
また、本実施形態によれば、画像送信装置２が省電力モードに移行してからも、接続情報管理データテーブルにおけるこの画像送信装置２の管理を、与えた接続識別子に基づいて継続しているため、省電力モードから復帰するまでの間に、この画像送信装置２とは異なる他の画像送信装置２が画像表示装置１に接続することにより、省電力モードに移行した画像送信装置１に割り当てられている表示領域を、上記他の画像送信装置１が奪うことを防止できる。
【００６９】
さらに、本実施形態によれば、画像表示装置１の管理下に置いたまま、ユーザの操作がない状態が継続した画像送信装置２を、他の画像送信装置２に表示領域を奪われることを抑制して、省電力モードに移行させることができ、画像を送信する必要がない画像送信装置２のバッテリーの消費を抑制することができる。
【００７０】
図７は、本発明の実施形態の概念を説明する図である。図７において、本発明の実施形態における画像表示装置１は、ネットワーク２００を介して複数の画像送信装置２、すなわち画像送信装置２１から画像送信装置２ｎの各々と通信部１２０を介して接続されている。画像表示装置１は、画像送信装置２１から画像送信装置２ｎの各々から送信される画像データそれぞれを、表示装置の表示画面（不図示）を分割した表示領域に同時に表示する。この表示画面の表示領域の各々は、画像送信装置２それぞれに対応して割り付けられており、対応する画像送信装置２からの画像データが同時に表示される。
【００７１】
画像送信装置２は、一定時間において操作入力が無い場合、省電力モードに移行し、画像送信装置１と通信部１２０との接続（画像伝送系統）を一旦切断する。
そして、接続情報管理部１１０は、省電力モードに移行した画像送信装置２から画像表示装置１への画像伝送系統が切断された際、画像表示装置１に接続されている画像送信装置２の接続数を変化させずに、省電力モードに移行した画像送信装置２が接続が継続されている状態とする。また、接続情報管理部１１０は、画像伝送系統が切断された、省電力モードに移行した画像送信装置２に割り付けられている（対応する）表示領域に対して、画像伝送系統が切断された省電力モードに移行した画像送信装置２が接続されているように視認させる映像ミュートを示す画像を表示させる。
【００７２】
これにより、画像送信装置２が省電力モードに移行して、一旦、画像表示装置１との画像伝送系統が切断された際、省エネモードに移行した画像送信装置２が継続して接続されているように制御されるため、省電力モードから復帰するまでの間に、この画像送信装置２とは異なる他の画像送信装置２が画像表示装置１に画像伝送系統を接続することにより、省電力モードに移行した画像送信装置１に割り当てられている表示領域を、他の画像送信装置１が奪うことを防止できる。
【００７３】
また、図１の画像表示装置における複数の画像送信装置から送信される画像データを、画像表示装置の表示画面を複数に分割した表示領域に割り当てて表示する際、省電力モードに移行した画像送信装置に割り当てた表示領域に映像ミュートを示す画像を表示し、当該画像送信装置との接続が仮想的に行われているようにする処理を、画像表示装置における制御機能を実現するためのコントロールを外部コンピュータシステムによって行てもよい。なお、ここでいう「コンピュータシステム」とは、ＯＳや周辺機器等のハードウェアを含むものとする。
【００７４】
以上、この発明の実施形態を図面を参照して詳述してきたが、具体的な構成はこの実施形態に限られるものではなく、この発明の要旨を逸脱しない範囲の設計等も含まれる。
【産業上の利用可能性】
【００７５】
上述した画像表示方法及び画像表示装置は、複数の画像送信装置と画像表示装置プロジェクターを、ネットワークを介して画像伝送系統を確立して接続し、映像を伝送する方法において、画像送信装置が省電力モードに移行し、環境に配慮した動作が可能な画像伝送方式において適切な分割表示を実現する上で有効となる。
【符号の説明】
【００７６】
１…画像表示装置
２，２１，２２，２ｎ…画像送信装置
１１，２１…通信装置
１２，２２…データ処理装置
１３，２３…記憶装置
１４…画像出力装置
２４…入力装置
２５…表示装置
１１１，２１１…データ受信部
１１２，２１２…データ送信部
１３１…接続情報管理データ記憶部
１３２，２３２…ビデオメモリ
２００…ネットワーク
２３１…接続識別子データ記憶部
２４１…操作受付部
２５１…表示部
【図１】
2019092848.tif 000003
【図２】
2019092848.tif 000004
【図３】
2019092848.tif 000005
【図４】
2019092848.tif 000006
【図５】
2019092848.tif 000007
【図６】
2019092848.tif 000008
【図７】
2019092848.tif 000009
【国際調査報告】
2019092848.tif 000010
2019092848.tif 000011
2019092848.tif 000012
2019092848.tif 000013